(57)【特許請求の範囲】
【請求項１】
挿入方向の先端にコネクタ部を有するカードが使用され、
多数のピン端子が整列しているコネクタ本体と、
両側に挿入される上記カードを案内するガイドレールを有し、奥の部分にコネクタ本体嵌合部を有し、該コネクタ本体嵌合部が前記コネクタ本体を覆っているフレームと、
装着してあるカードを押し出すカードイジェクト機構とを有し、
該カードイジェクト機構は、前記ガイドレールに沿って設けてあり、装着されているカードをイジェクトするときに押し操作されるイジェクト操作レバーと、前記コネクタ本体嵌合部に設けてあり、該イジェクト操作レバーの押し操作によって回動されて、装着されているカードの先端面をカードを押し出す方向に押すカード押し出し回動部材とよりなり、
前記カード押し出し回動部材は、前記イジェクト操作レバーによって押される力が作用する操作力作用部と、前記カードの先端面を押す押し部とを有する構成である、
カード用コネクタにおいて、
前記カード押し出し回動部材が回動されるにつれて、その回動支点を、前記操作力作用部の方向に移動して形成させる回動支点形成手段を有する構成としたとともに、
前記カード押し出し回動部材に、その長手方向上中心より前記操作力作用部側の位置に形成してあるＬ字形状の切り起こし部と、
前記フレームの前記コネクタ本体嵌合部の天板部に形成してあるスリットとを更に有し、
前記Ｌ字形状の切り起こし部が前記スリットを貫通して前記天板部の上面を係止しており、前記カード押し出し回動部材が回動されるとき、前記切り起こし部は前記前記天板部の上面を係止しつつ前記スリット内を移動する構成としたことを特徴とするカード用コネクタ。
【請求項２】
請求項１に記載のカード用コネクタにおいて、
前記回動支点形成手段は、
前記カード押し出し回動部材に、その長手方向上異なる位置に形成してある複数の張出し部と、
前記フレームのコネクタ本体嵌合部に前記カード押し出し回動部材の張出し部に対応して異なる位置に形成してある複数の受け部とよりなり、
最初は、前記カード押し出し回動部材の複数の張出し部のうち前記押し部に近い位置の張出し部がこれに対応する受け部に支持されて回動支点を形成し、
前記カード押し出し回動部材が回動されるにつれて、前記張出し部の前記操作力作用部の側の別の張出し部がこれに対応する受け部に支持されて別の回動支点を形成する構成としたことを特徴とするカード用コネクタ。
【請求項３】
請求項１に記載のカード用コネクタにおいて、
前記回動支点形成手段は、
前記カード押し出し回動部材に、その長手方向上中心より前記押し部側の位置に形成してある第１の張出し部と、長手方向上中心より前記操作力作用部側の位置に形成してある第２の張出し部と、
前記フレームのコネクタ本体嵌合部に前記カード押し出し回動部材の第１、第２の張出し部に対応した位置に形成してある第１、第２の受け部とよりなり、
最初は、前記第１の張出し部が前記第１の受け部に支持されて第１の回動支点を形成し、
前記カード押し出し回動部材が所定角度回動された後には、前記第２の張出し部が前記第２の受け部に支持されて第２の回動支点を形成し、前記第１の張出し部が前記第１の受け部から離れて前記第１の回動支点が消滅する構成としたことを特徴とするカード用コネクタ。
【発明の詳細な説明】
【技術分野】
【０００１】
本発明はカード用コネクタに係り、特に押し込み操作をすることによってカードをイジェクトさせるカードイジェクト機構を備えたカード用コネクタに関する。
【０００２】
カードイジェクト機構を備えたカード用コネクタは携帯用のパソコン等に組み込まれている。携帯用のパソコンの小型化に伴って、現在、カード用コネクタのサイズはカードと略同じサイズにまで小型化してきている。しかし、携帯用のパソコンの内部の限られた有効スペースを少しでも広くする等の要求があり、これに答えるために、カード用コネクタとしては、奥行き方向の寸法を更に短くして小型化することが要求されている。
【背景技術】
【０００３】
図１及び図２（Ａ）乃至（Ｃ）は従来のＰＣカード用コネクタ１０を示す。図１のうち分解して示す図においては、フレーム３０は裏返した姿勢で示してある。図２（Ａ）は、図示の便宜上、フレーム３０の一部を省略して示し、ＰＣカード５０が装着されている状態である。
【０００４】
図２（Ｂ）は、図２（Ａ）中、Ｂ−Ｂ線に沿う断面を示す。図２（Ｃ）はカードイジェクト操作をしたときの状態を示す。Ｘ１，Ｘ２は左右方向（幅方向）、Ｙ１，Ｙ２は奥行き方向、Ｚ１、Ｚ２は高さ方向である。なお、Ｙ１はカード挿入方向、Ｙ２はカード押し出し方向（カードイジェクト方向）である。
【０００５】
従来のカード用コネクタ１０は、コネクタ本体２０と、フレーム３０と、カードイジェクト機構４０とを有する。
【０００６】
コネクタ本体２０は、合成樹脂モールドフレーム部材２１に多数のピン端子２２が整列している構成であり、プリント基板６０上に固定されて実装される。
【０００７】
フレーム３０は、合成樹脂モールド部品であり、左右側のガイドレール３２，３３と、奥の部分のコネクタ本体嵌合部３１とを有する。コネクタ本体嵌合部３１は、ガイドレール３２，３３の間をブリッジしている板状の天板部３４と、Ｙ１方向端側でガイドレール３２，３３間をつなぐ奥側側面板部３５とを有する。フレーム３０は、コネクタ本体嵌合部３１がコネクタ本体２０に嵌合し天板部３４がコネクタ本体部２０を覆う状態で、ガイドレール３２，３３をプリント基板６０にねじ止めされてプリント基板６０上に固定される。
【０００８】
カードイジェクト機構４０は、てこの原理を利用したものであり、Ｘ１側のガイドレール３３の外側面にＹ１方向にスライド可能に支持されているイジェクト操作レバー４１と、カード押し出し回動部材４２とよりなる構成である。カード押し出し回動部材４２は、レバー形状の金属板製の部品であり、一端に押し部４２ａ、他の端に折り曲げ部４２ｂを有し、押し部４２ａの近くに回動中心孔４２ｃを有する構成である。カード押し出し回動部材４２は、天板部３４の下面に突き出ている凸状の軸部３４ａに、回動中心孔４２ｃを嵌合させて、板状の橋部３４の下面に支持されており、折り曲げ部４２ｂがイジェクト操作レバー４１と係合してある。
【０００９】
ＰＣカード５０は、挿入方向先端の面５１を有する。先端面５１は、Ｘ１側及びＸ２側に、面部分５２，５３を有し、面部分５２，５３の間にコネクタ部５４を有する。
【００１０】
ＰＣカード５０は、図２（Ａ）に示すように、フレーム３０内に挿入されて、コネクタ部５４を端子２２と接続されて、左右側をガイドレール３１、３２によって支持されて、装着してある。
【００１１】
装着してあるカード５０をイジェクトするときには、操作者は、指先でイジェクト操作レバー４１をＹ１方向に押す。この操作によって、図２（Ｃ）に示すように、カード押し出し回動部材４２が反時計に回動され、押し部４２ａが面部分５３をＹ２方向に押して、ＰＣカード５０はコネクタ部５４が端子２２から抜け出すまで移動される。この後に操作者は、ＰＣカード５０のＹ２方向端側を指先でつかんで引き出す。
【特許文献１】特許第３４８３４４９号公報
【発明の開示】
【発明が解決しようとする課題】
【００１２】
イジェクト操作時にカード押し出し回動部材４２の回動中心は、軸部３４ａであり、固定であり、操作の初期から最後まで変化しない。よって、イジェクト操作レバー４１のＹ１方向へのストロークＳ１とカード押し部４２ｂのＹ２方向への変位距離Ｑとの関係は、
図９に線Ｉで示すように直線状となる。
【００１３】
Ｑは、カード５０をそのコネクタ部５４が端子２２から抜け出すまで移動させるに必要なカード押し部４２ｂのＹ２方向への変位距離である。
【００１４】
軸部３４ａは、押し部４２ａにコネクタ部５４が端子２２から抜け出すに足る大きさの力が発生するように、カード押し出し回動部材４２のうち押し部４２ａに近い位置に配置してある。
【００１５】
このため、カード押し部４２ｂの変位距離がＱとなるためのイジェクト操作レバー４１のストロークＳ１が長くなり、イジェクト操作レバー４１の移動範囲を含めたカード用コネクタ１０の奥行き方向の寸法はＬ１となって、長くなっていた。
【００１６】
そこで、本発明は、上記課題を解決したカード用コネクタを提供することを目的とする。
【課題を解決するための手段】
【００１７】
そこで、本発明は、
挿入方向の先端にコネクタ部を有するカードが使用され、
多数のピン端子が整列しているコネクタ本体と、
両側に挿入される上記カードを案内するガイドレールを有し、奥の部分にコネクタ本体嵌合部を有し、該コネクタ本体嵌合部が前記コネクタ本体を覆っているフレームと、
装着してあるカードを押し出すカードイジェクト機構とを有し、
該カードイジェクト機構は、前記ガイドレールに沿って設けてあり、装着されているカードをイジェクトするときに押し操作されるイジェクト操作レバーと、前記コネクタ本体嵌合部に設けてあり、該イジェクト操作レバーの押し操作によって回動されて、装着されているカードの先端面をカードを押し出す方向に押すカード押し出し回動部材とよりなり、
前記カード押し出し回動部材は、前記イジェクト操作レバーによって押される力が作用する操作力作用部と、前記カードの先端面を押す押し部とを有する構成である、
カード用コネクタにおいて、
前記カード押し出し回動部材が回動されるにつれて、その回動支点を、前記操作力作用部の方向に移動して形成させる回動支点形成手段を有する構成としたとともに、
前記カード押し出し回動部材に、その長手方向上中心より前記操作力作用部側の位置に形成してあるＬ字形状の切り起こし部と、
前記フレームの前記コネクタ本体嵌合部の天板部に形成してあるスリットとを更に有し、
前記Ｌ字形状の切り起こし部が前記スリットを貫通して前記天板部の上面を係止しており、前記カード押し出し回動部材が回動されるとき、前記切り起こし部は前記前記天板部の上面を係止しつつ前記スリット内を移動する構成としたことを特徴とする。
【発明の効果】
【００１８】
本発明によれば、カード押し出し回動部材レバーが回動されるにつれて、その回動支点が、操作力作用部の方向に移動するため、途中から押し部の変位が効率的になされ、その分、イジェクト操作レバーのストロークが短くなり、カード用コネクタの奥行き方向の寸法が短くなる。カード用コネクタのイジェクト抗力が大きい最初の状態では、回動支点が押し部に近い側に存在しており、押し部には十分に大きい力が発生する。これとともに、イジェクト操作レバーが天板部から落下することを防止できる。
【発明を実施するための最良の形態】
【００１９】
次に本発明の実施の形態について説明する。
【実施例１】
【００２０】
図３は本発明の実施例１になるＰＣカード用コネクタ１１０を示す。図３のうち分解して示す図においては、フレーム１３０は裏返した姿勢で示してある。図４（Ａ）は、図示の便宜上、フレーム１３０の一部を省略して示し、ＰＣカード５０が装着されている状態である。図４（Ｂ）は、図４（Ａ）中、Ｂ−Ｂ線に沿う断面を示す。図４（Ｃ）はカードイジェクト操作をしたときの状態を示す。Ｘ１，Ｘ２は左右方向（幅方向）、Ｙ１，Ｙ２は奥行き方向、Ｚ１、Ｚ２は高さ方向である。なお、Ｙ１はカード挿入方向、Ｙ２はカード押し出し方向（カードイジェクト方向）である。
【００２１】
カード用コネクタ１１０は、コネクタ本体部１２０と、フレーム１３０と、カードイジェクト機構１４０とを有する。カード用コネクタ１１０は、図１及び図２に示す従来のＰＣカード用コネクタ１０と比較すると、カードイジェクト機構１４０が相違する。
【００２２】
コネクタ本体部１２０は、合成樹脂モールドフレーム部材１２１に多数の端子１２２が整列している構成であり、プリント基板６０上に固定されて実装される。
【００２３】
フレーム１３０は、合成樹脂モールド部品であり、ＰＣカード５０を案内する左右側のガイドレール１３２，１３３と、奥の部分のコネクタ本体嵌合部１３１とを有する。コネクタ本体嵌合部１３１は、ガイドレール１３２，１３３の間をブリッジしている板状の天板部１３４と、Ｙ１方向端側でガイドレール１３２，１３３間をつなぐ奥側側面板部１３５とを有する。フレーム１３０は、コネクタ本体嵌合部１３１がコネクタ本体１２０に嵌合し天板部１３４がコネクタ本体部１２０を覆う状態で、ガイドレール１３２，１３３をプリント基板６０にねじ止めされてプリント基板６０上に固定される。
【００２４】
図５はフレーム１３０を裏返しの姿勢としてカードイジェクト機構１４０を示す。図６は、図５に示す向きと同じ向きで、フレーム１３０とカード押し出し回動部材１４２とを分解して示す。図７（Ａ），（Ｂ）、（Ｃ）はカード押し出し回動部材１４２を示す。
【００２５】
カードイジェクト機構１４０は、てこの原理を利用したものであり、Ｘ１側のガイドレール１３３の外側面にＹ１方向にスライド可能に支持されているイジェクト操作レバー１４１と、カード押し出し回動部材１４２とを有する。
【００２６】
図７（Ａ），（Ｂ）、（Ｃ）に示すように、カード押し出し回動部材１４２は、レバー形状の金属板製の部品であり、Ｘ２端に押し部１４２ａ及びガイド突起部１４２ｃを有し、Ｘ２端に操作力作用部としての折り曲げ部１４２ｂを有し、中央ＣＬとＸ２端との略中間に、ガイド穴１４２ｄ及び第１の円弧状張出し部１４２ｅを有し、中央ＣＬとＸ１端との略中間に、第２の円弧状張出し部１４２ｆ及びＬ字状ガイド片１４２ｇとを有する。ガイド穴１４２ｄは、Ｙ方向に長い長穴である。第１の円弧状張出し部１４２ｅ及び第２の円弧状張出し部１４２ｆは、共にＹ１方向へ円弧状に張り出している。第１の円弧状張出し部１４２ｅは、Ｘ軸方向上、ガイド穴１４２ｄと同じ個所に形成してある。Ｌ字状ガイド片１４２ｇは、Ｚ１方向に切り起こしてＸ２方向にＬ字形状に曲げてある。
【００２７】
図６に示すように、フレーム１３０のコネクタ本体嵌合部１３１の天板部１３４にはＺ２側の面にはガイド軸１３４ａが突き出ている。また、天板部１３４には、ガイドスリット１３４ｂが形成してある。また、天板部１３４のＺ２側の面には奥側側面板部１３５側の位置に、第１、第２の受け部１３４ｃ、１３４ｄが形成してある。
【００２８】
ガイド軸１３４ａは、カード押し出し回動部材１４２のガイド穴１４２ｄに対応する個所に形成してあり、ガイド穴１４２ｄの大きさより細い。
【００２９】
ガイドスリット１３４ｂは、カード押し出し回動部材１４２のＬ字状ガイド片１４２ｇに対応する個所に形成してあり、Ｙ１−Ｙ２方向に長い。
【００３０】
第１の受け部１３４ｃは、カード押し出し回動部材１４２の第１の円弧状張出し部１４２ｅに対応する個所に形成してあり、Ｙ２側の受け面１３４ｃ１はＵ字形状を有する。
【００３１】
第２の受け部１３４ｄは、カード押し出し回動部材１４２の第２の円弧状張出し部１４２ｆに対応する個所に形成してあり、Ｙ２側の受け面１３４ｄ１はＵ字形状を有する。
【００３２】
カード押し出し回動部材１４２は、図３、図４、図５、図８（Ａ）に示すように、ガイド突起部１４２ｃをスリット１３４ｅに嵌合させ、ガイド穴１４２ｄをガイド軸１３４ａに嵌合させ、Ｌ字状ガイド片１４２ｇをスリット１３４ｂに嵌合させた状態で、天板部１３４のＺ２側の面に支持されており、折り曲げ部１４２ｂがイジェクト操作レバー１４１と係合してある。
【００３３】
ガイド穴１４２ｄとガイド軸１３４ａとは緩い嵌合関係にあり（図８（Ａ）参照）、Ｌ字状ガイド片１４２ｇはスリット１３４ｂに沿って移動が可能である関係にあり、折り曲げ部１４２ｂがイジェクト操作レバー１４１と係合していないと仮定すると、カード押し出し回動部材１４２は、フレーム本体１３１の天板部１３４上でＹ１−Ｙ２方向に所定の範囲内で自由に移動可能である状態である。
【００３４】
次に、イジェクト操作レバー１４１がＹ１方向に移動された場合のカード押し出し回動部材１４２の回動の状況について、即ち、押し部１４２ａがＹ２方向に距離Ｑ移動するときのカード押し出し回動部材１４２の回動の状況について、図８及び図９を参照して説明する。
【００３５】
図８（Ａ）は、図４（Ａ）に示す最初の状態における状態、即ち、ＰＣカード５０が装着されているときの状態を示す。装着されているＰＣカード５０によって、押し部１４２ａはＹ１方向に移動されており、カード押し出し回動部材１４２はＣ方向に回動した状態にある。なお、図５の二点鎖線はこのときの状態を示す。
【００３６】
ガイド穴１４２ｄのうちＹ２側の端の部分がガイド軸１３４ａと嵌合しており、第１の円弧状張出し部１４２ｅが第１の受け部１３４ｃに当接している。よって、カード押し出し回動部材１４２のＸ２側の部分は、Ｙ２方向に移動することが可能な状態にある。
【００３７】
第２の円弧状張出し部１４２ｆは第２の受け部１３４ｄより離れている。
【００３８】
イジェクト操作レバー１４１はＹ２方向に移動している。
【００３９】
イジェクト操作レバー１４１をＹ１方向に押し込む操作を行なうと、カード押し出し回動部材１４２はＣＣ方向に回動される。カード押し出し回動部材１４２は、図８（Ｂ）に示すように、第１の円弧状張出し部１４２ｅのうち第１の受け部１３４ｃに当接している点（第１の回動支点Ａ）を中心に回動され、押し部１４２ａがＹ２方向に移動する。
【００４０】
ＰＣカード５０は押し部１４２ａによって押されてＹ２方向に移動を開始し、コネクタ部５４が端子２２から抜け出しを開始する。
【００４１】
また、第２の円弧状張出し部１４２ｆが第２の受け部１３４ｄに近づく。
【００４２】
イジェクト操作レバー１４１がＹ１方向に更に移動されると、図８（Ｃ）に示すように、第２の円弧状張出し部１４２ｆが第２の受け部１３４ｄに当接する。
【００４３】
イジェクト操作レバー１４１がＹ１方向に更に移動されると、図８（Ｄ）に示すように、カード押し出し回動部材１４２は、第２の円弧状張出し部１４２ｆのうち第２の受け部１３４ｄに当接している点（第２の回動支点Ｂ）を中心に回動され、押し部１４２ａがＹ２方向に移動して、図８（Ａ）に示す位置より距離Ｑ移動する。
【００４４】
イジェクト操作レバー１４１の力点（折り曲げ部１４２ｂ）、作用点（押し部１４２ａ）の間の長さを、回動支点（Ａ，Ｂ）で内分した腕の長さの比は、図８（Ｂ）に示すときには、Ｅ１／Ｅ２であり、約０．５であり、１．０以下である。イジェクト操作レバー１４１をＹ１方向に押し込む操作が進行すると、図８（Ｂ）に示すように、イジェクト操作レバー１４１の回動支点がＡからＸ１方向（押し部１４２ａから遠くなる方向であり、折り曲げ部１４２ｂの方向である）に移動され、イジェクト操作レバー１４１腕の長さの比は、Ｅ１１／Ｅ１２となり、約１．５であり、Ｅ１／Ｅ２よりも増加して、１．０以上となる。
【００４５】
イジェクト操作レバー１４１のＹ１方向へのストロークＳ１とカード押し部１４２ｂのＹ２方向への変位距離Ｑとの関係は、回動支点が第１の回動支点Ａである最初の段階では、図９に線IIで示すようになり、回動支点が第１の回動支点Ａから第２の回動支点Ｂに移ると、傾斜度が増した線IIIで示すようになる。線IIIは、イジェクト操作レバー１４１のＹ１方向への移動に伴なうカード押し部１４２ｂのＹ２方向への変位量が今までよりも増えて、カード押し部１４２ｂの変位が効率的になったことを意味する。
【００４６】
よって、カード押し部１４２ｂをＹ２方向への距離Ｑ変位させるにために必要なイジェクト操作レバー１４１のＹ１方向へのストロークＳ１０は、従来のストロークＳ１よりも短くなる。
【００４７】
これによって、図４（Ａ）に示すように、イジェクト操作レバー４１の移動範囲を含めたカード用コネクタ１００の奥行き方向の寸法はＬ１０となって、従来のカード用コネクタ１０の奥行き方向の寸法はＬ１よりも短くなって、カード用コネクタ１００は従来のカード用コネクタ１０に比較して、奥行き方向の寸法が短くなって小型化されている。
【００４８】
図１０の線IVは、ＰＣカード５０のコネクタ部５４がコネクタ本体部１２０の端子２２に深く嵌合している装着状態から、コネクタ部５４が端子２２より外れるようにＰＣカード５０をＹ２方向に移動させるときに、即ち、装着されているＰＣカード５０がイジェクトされる動作に抵抗する抗力が、どのように変化するかを示す。
【００４９】
ＰＣカード５０が移動し始めるときの抗力は、コネクタ本体部１２０と端子２２との間の静止摩擦力ＦＲである。
【００５０】
ＰＣカード５０が移動を開始したのちの抗力は、コネクタ本体部１２０と端子２２との間の動摩擦力である。
【００５１】
コネクタ本体部１２０と端子２２との間の静止摩擦力ＦＲは大きいけれども、動摩擦力は静止摩擦力ＦＲに比べて小さくなる。
【００５２】
よって、イジェクト操作レバー１４１の回動支点が第１の回動支点Ａから第２の回動支点Ｂに移って、腕の長さの比が、Ｅ１１／Ｅ１２となり、１．０以上となっても、イジェクト操作レバー４１は特に重くはならずに常に押し込まれる。
【００５３】
また、イジェクト操作レバー１４１の押し込み操作を開始するときには、回動支点が第１の回動支点Ａにあり、腕の長さの比Ｅ１／Ｅ２は約０．５であり、図８（Ａ）に示すようにカード押し部１４２ｂに発生するＹ２方向の力Ｆ２は、イジェクト操作レバー１４１に作用させる通常の操作力Ｆ１の約２倍となり、静止摩擦力ＦＲより大きくなり、イジェクト操作レバー１４１を通常の力で押し込めば、ＰＣカード５０がイジェクトを始める。よって、イジェクト操作レバー１４１の押し込み操作は、違和感なくなされる。
【００５４】
なお、イジェクト操作レバー１４１は天板部１３４の下面に位置しているけれども、Ｘ２側については、ガイド突起部１４２ｃがスリット１３４ｅと嵌合しており、且つ、ガイド穴１４２ｄがガイド軸１３４ａから抜け出し難く嵌合しており、Ｘ２側については、Ｌ字状ガイド片１４２ｇが天板部１３４の上面を係止しており、イジェクト操作レバー１４１は天板部１３４から落下することはない。
【００５５】
なお、装着してあるカード５０をイジェクトするときには、操作者は、指先でイジェクト操作レバー１４１をＹ１方向に押す。この操作によって、図４（Ｃ）、図５、図８（Ａ）乃至（Ｄ）に示すように、カード押し出し回動部材４２がＣＣ方向に回動され、押し部４２ａが面部分５３をＹ２方向に押して、ＰＣカード５０はコネクタ部５４が端子２２から抜け出すまで移動される。この後に操作者は、ＰＣカード５０のＹ２方向端側を指先で掴んで引き出す。
【図面の簡単な説明】
【００５６】
【図１】従来のカード用コネクタを示す斜視図である。
【図２】図１のカード用コネクタを示す図であり、（Ａ），（Ｂ）はＰＣカードが装着してある状態、（Ｃ）はＰＣカードをイジェクトした状態を示す。
【図３】本発明の実施例１になるカード用コネクタを示す斜視図である。
【図４】図３のカード用コネクタを示す図であり、（Ａ），（Ｂ）はＰＣカードが装着してある状態、（Ｃ）はＰＣカードをイジェクトした状態を示す。
【図５】フレームを裏返しの姿勢としてカードイジェクト機構を示す図である。
【図６】図５に示す向きと同じ向きで、フレームとカード押し出し回動部材とを分解して示す図である。
【図７】カード押し出し回動部材を示す図である。
【図８】イジェクト操作レバーを操作したときのカード押し出し回動部材の回動の状況を示す図である。
【図９】イジェクト操作レバーの操作ストロークとカード押し部の変位距離との関係を示す図である。
【図１０】イジェクトされるＰＣカードの移動距離と、ＰＣカードのイジェクト抗力との関係を示す図である。
【符号の説明】
【００５７】
１１０  ＰＣカード用コネクタ
１２０  コネクタ本体部
１３０  フレーム
１３１  コネクタ本体嵌合部
１３２，１３３  ガイドレール
１３４  天板部
１３４ａ  ガイド軸
１３４ｂ  ガイドスリット
１３４ｃ  第１の受け部
１３４ｄ  第２の受け部
１３５  奥側側面板部
１４０  カードイジェクト機構
１４１  イジェクト操作レバー
１４２  カード押し出し回動部材
１４２ａ  押し部
１４２ｂ  折り曲げ部
１４２ｄ  ガイド穴
１４２ｅ  第１の円弧状張出し部
１４２ｆ  第２の円弧状張出し部
１４２ｇ  Ｌ字状ガイド片
Ａ  第１の回動支点
Ｂ  第２の回動支点
【図１】
0004664212.tif 000002
【図２】
0004664212.tif 000003
【図３】
0004664212.tif 000004
【図４】
0004664212.tif 000005
【図５】
0004664212.tif 000006
【図６】
0004664212.tif 000007
【図７】
0004664212.tif 000008
【図８】
0004664212.tif 000009
【図９】
0004664212.tif 000010
【図１０】
0004664212.tif 000011